(57)【要約】【課題】印刷缶の校正作業を、簡単にかつ迅速に行うことが可能な印刷缶の校正方法を提供する。【解決手段】金属缶の表面に印刷が施された印刷缶の校正方法であって、フルカラー印刷された見本パターンの画像データを、前記金属缶の印刷に用いられる複数の特色インクに対応する特色データと網点パターンデータに分解して、複数の特色インクにそれぞれ対応した製版データを作成する製版データ作成工程Ｓ０１と、前記特色インク毎に作成された前記製版データに基づいて、インクジェットプリンタによって試刷パターンが印刷された試刷パターンフィルムを形成する試刷パターンフィルム形成工程Ｓ０２と、前記試刷パターンフィルムを前記金属缶の外周面に貼り付けてデジタル校正缶を作製するデジタル校正缶作製工程Ｓ０３と、前記デジタル校正缶と前記見本パターンとを比較する比較工程Ｓ０４と、を有することを特徴とする。【選択図】図２
2019155771.tif 000002
【特許請求の範囲】
【請求項１】
金属缶の表面に印刷が施された印刷缶の校正方法であって、
フルカラー印刷された見本パターンの画像データを、前記金属缶の印刷に用いられる複数の特色インクに対応する特色データと網点パターンデータに分解して、複数の特色インクにそれぞれ対応した製版データを作成する製版データ作成工程と、
前記特色インク毎に作成された前記製版データに基づいて、インクジェットプリンタによって試刷パターンが印刷された試刷パターンフィルムを形成する試刷パターンフィルム形成工程と、
前記試刷パターンフィルムを前記金属缶の外周面に貼り付けてデジタル校正缶を作製するデジタル校正缶作製工程と、
前記デジタル校正缶と前記見本パターンとを比較する比較工程と、
を有することを特徴とする印刷缶の校正方法。
【請求項２】
前記試刷パターンフィルムの試刷パターンと前記見本パターンとを比較して、前記製版データの調整を行う製版データ調整工程を備えていることを特徴とする請求項１に記載の印刷缶の校正方法。
【請求項３】
前記製版データ調整工程においては、前記金属缶の金属光沢を考慮した印刷色のデータベースに基づいて、前記製版データを調整することを特徴とする請求項２に記載の印刷缶の校正方法。
【請求項４】
前記製版データ作成工程においては、前記金属缶の金属光沢を考慮した印刷色のデータベースに基づいて、前記製版データを作成することを特徴とする請求項１から請求項３のいずれか一項に記載の印刷缶の校正方法。
【請求項５】
前記製版データに基づいて版を作製し、缶の印刷装置を用いて前記金属缶の表面に印刷を行い、試刷り校正缶を作製する試刷り校正缶作製工程を備えていることを特徴とする請求項１から請求項４のいずれか一項に記載の印刷缶の校正方法。
【発明の詳細な説明】
【技術分野】
【０００１】
本発明は、金属缶の表面に印刷が施された印刷缶において、印刷画像の校正を行う印刷缶の校正方法に関するものである。
【背景技術】
【０００２】
有底筒状の円筒容器から成形される飲料用容器として、開口端部にキャップが螺着されるボトル缶や、開口端部に缶蓋が巻き締められる巻締缶が知られている。このような缶は、例えばアルミニウム等の金属板を円形状に打ち抜き、それを絞り加工して有底円筒状のカップ部材を得て、さらにそれを再絞り・しごき加工することにより円筒状の缶胴を形成し、その後、缶胴の外周面に印刷が施される。
この缶胴の印刷に際しては、特許文献１，２で示すような、オフセット印刷機構を有する印刷装置が使用されている。
【０００３】
上述のオフセット印刷機構を有する缶の印刷装置においては、複数の特定色のインク（以下、特色インク）にそれぞれ対応した複数のインカーユニットを有しており、これらの特色インクが凸版に付着させられ、これが印刷用ブランケットに写し取られる。複数の特色インクのパターンが積層されることで、一定の図柄が形成される。そして、この印刷用ブランケットのインクが金属缶の外周面に転写されることで、金属缶の外周面に印刷が施される。
【０００４】
この印刷用ブランケットにおいては、複数の特色インクがウェットな状態で配置されることから、複数の特色インクが同一箇所に位置しないように配置する必要がある。このため、オフセット印刷機構を有する缶の印刷装置においては、特色インクを重ね塗りすることができず、複数の特色インクのパターン上に配置することによって、様々な画像を再現することになる。
【０００５】
ここで、印刷缶においては、通常、顧客から印刷画像の見本パターンが提供される。この見本パターンは、例えばインクジェットプリンタ等を用いて、シアン（Ｃ）、マゼンダ（Ｍ）、イエロー（Ｙ）、ブラック（Ｋ）の４色成分を重ね合わせることよって、フルカラー印刷されたものである。
缶の印刷装置においては、上述のように、複数の特色インクのみを重ね塗りすることなく印刷する必要があるため、フルカラー印刷された画像をそのまま再現することはできなかった。そこで、例えば特許文献３に記載されたように、画像データを多色分解して製版データを作成し、この製版データを元にして特色インク毎に版を作製し、缶へ印刷を行っていた。
【先行技術文献】
【特許文献】
【０００６】
【特許文献１】特開２００８−２３８７９６号公報
【特許文献２】特開２０１２−１７６６１８号公報
【特許文献３】特開２００６−１０８８９６号公報
【発明の概要】
【発明が解決しようとする課題】
【０００７】
ところで、上述の印刷缶を製造する場合には、図５のフロー図に示すように、印刷缶の校正作業が行われる。
まず、見本パターンから各色の製版データを作成する（製版データ作成工程Ｓ１０１）。次に、この製版データを元に版を作製する（版作製工程Ｓ１０２）。缶の印刷装置を用いて、金属缶に対して試し刷りを行って試刷り校正缶を作製する（試刷り校正缶作製工程Ｓ１０３）。この試刷り校正缶を顧客に提出し、客先において試刷り校正缶の印刷画像と見本パターンの画像との比較を行う（比較工程Ｓ１０４）。そして、試刷り校正缶の印刷画像と見本パターンの画像との差異を修正するように、製版データを再度作成する（製版データ作成工程Ｓ１０１）。これら製版データ作成工程Ｓ１０１、版作製工程Ｓ１０２、試刷り校正缶作製工程Ｓ１０３、比較工程Ｓ１０４を繰り返し実施し、印刷缶の校正作業が行われる。このため、印刷缶の校正作業に多大な労力と時間を費やす必要があった。
【０００８】
本発明は、前述の事情に鑑みてなされたものであって、印刷缶の校正作業を、簡単にかつ迅速に行うことが可能な印刷缶の校正方法を提供することを目的とする。
【課題を解決するための手段】
【０００９】
前述の課題を解決するために、本発明に係る印刷缶の校正方法は、金属缶の表面に印刷が施された印刷缶の校正方法であって、フルカラー印刷された見本パターンの画像データを、前記金属缶の印刷に用いられる複数の特色インクに対応する特色データと網点パターンデータに分解して、複数の特色インクにそれぞれ対応した製版データを作成する製版データ作成工程と、前記特色インク毎に作成された前記製版データに基づいて、インクジェットプリンタによって試刷パターンが印刷された試刷パターンフィルムを形成する試刷パターンフィルム形成工程と、前記試刷パターンフィルムを前記金属缶の外周面に貼り付けてデジタル校正缶を作製するデジタル校正缶作製工程と、前記デジタル校正缶と前記見本パターンとを比較する比較工程と、を有することを特徴としている。
【００１０】
この構成の印刷缶の校正方法によれば、フルカラー印刷された見本パターンの画像データを、前記金属缶の印刷に用いられる複数の特色インクに対応する特色データと網点パターンデータに分解して、複数の特色インクにそれぞれ対応した製版データを作成する製版データ作成工程と、前記特色インク毎に作成された前記製版データに基づいて、インクジェットプリンタによって試刷パターンが印刷された試刷パターンフィルムを形成する試刷パターンフィルム形成工程と、を備えているので、インクジェットプリンタによって、特色インクを用いた缶の印刷装置による印刷を再現した試刷パターンフィルムを形成することが可能となる。
そして、前記試刷パターンフィルムを前記金属缶の外周面に貼り付けてデジタル校正缶を作製するデジタル校正缶作製工程と、前記デジタル校正缶と前記見本パターンとを比較する比較工程と、を備えているので、版を複数回作製する必要がなく、印刷缶の校正作業を簡単にかつ迅速に行うことが可能となる。
【００１１】
ここで、本発明の印刷缶の校正方法においては、前記試刷パターンフィルムの試刷パターンと前記見本パターンとを比較して、前記製版データの調整を行う製版データ調整工程を備えていてもよい。
この構成の印刷缶の校正方法によれば、前記試刷パターンフィルムの試刷パターンと前記見本パターンとを比較して、前記製版データの調整を行う製版データ調整工程を備えているので、版を作製することなく、製版データの調整を行うことができる。
【００１２】
また、本発明の印刷缶の校正方法においては、前記製版データ調整工程においては、前記金属缶の金属光沢を考慮した印刷色のデータベースに基づいて、前記製版データを調整する構成とすることが好ましい。
この場合、前記金属缶の金属光沢を考慮した印刷色のデータベースに基づいて前記製版データを調整する構成としているので、インクジェットプリンタで前記試刷パターンフィルムを印刷した際に、金属缶の表面に印刷した状態を精度良く再現することができる。
【００１３】
さらに、本発明の印刷缶の校正方法においては、前記製版データ作成工程においては、前記金属缶の金属光沢を考慮した印刷色のデータベースに基づいて、前記製版データを作成することが好ましい。
この場合、前記金属缶の金属光沢を考慮した印刷色のデータベースに基づいて前記製版データを作成する構成としているので、インクジェットプリンタで前記試刷パターンフィルムを印刷した際に、金属缶の表面に印刷した状態を精度良く再現することができる。
【００１４】
また、本発明の印刷缶の校正方法においては、前記製版データに基づいて版を作製し、缶の印刷装置を用いて前記金属缶の表面に印刷を行い、試刷り校正缶を作製する試刷り校正缶作製工程を備えていてもよい。
この場合、上述のように、インクジェットプリンタで印刷した試刷パターンフィルムを用いて製版データを作成した上で、この製版データに基づいて版を作製し、試刷り校正缶を作製しているので、見本パターンの画像データを精度良く再現した試刷り校正缶を作製することが可能となる。
【発明の効果】
【００１５】
本発明によれば、印刷缶の校正作業を、簡単にかつ迅速に行うことが可能な印刷缶の校正方法を提供することができる。
【図面の簡単な説明】
【００１６】
【図１】缶の印刷装置の概略説明図である。
【図２】本発明の一実施形態である印刷缶の校正方法を示すフロー図である。
【図３】見本パターンの画像データを製版データに変換した一例を示す説明図である。
【図４】本発明の他の実施形態である印刷缶の校正方法を示すフロー図である。
【図５】従来の印刷缶の校正方法を示すフロー図である。
【発明を実施するための形態】
【００１７】
以下に、本発明の実施の形態である印刷缶の校正方法について、添付した図面を参照して説明する。
【００１８】
まず、図１を用いて、金属缶の外周面に印刷を行う缶の印刷装置について説明する。
この缶の印刷装置１０は、インク付着機構１１と、缶移動機構１５とで概略構成されている。
【００１９】
インク付着機構１１は、各色のインクを供給する複数のインカーユニット２０（２０Ａ，２０Ｂ，２０Ｃ，２０Ｄ，２０Ｅ）と、これらのインカーユニット２０からインクを写し取った後、缶胴４１の外周面に接触して該インクを印刷する（付着させる）ブランケットホイール３０とから構成される。
なお、図１においては、５つのインカーユニット２０（２０Ａ，２０Ｂ，２０Ｃ，２０Ｄ，２０Ｅ）が図示されているが、使用する特色インクの数に応じてインカーユニットを備えるものとされている。本実施形態では、図３に示すように、８つの特色インクを用いていることから、８つのインカーユニット２０を備えていることになる。
【００２０】
インカーユニット２０は、インク源２１と、インク源２１に接触してインクを受けるダクティングロール２２と、このダクティングロール２２に接続する複数のロールからなる中間ローラ２３と、この中間ローラ２３に接続するゴムローラ２４と、このゴムローラ２４に接続する印刷版胴２６とからなり、印刷版胴２６の外周面には缶胴４１に印刷される図柄に応じて形成された凸版２７が形成されている。この印刷版胴２６はシャフト部（図示なし）に回転自在に支持されている。
ブランケットホイール３０の外周面には、印刷用ブランケット３１が複数枚備えられている。この印刷用ブランケット３１は、印刷版胴２６の外周面に形成された凸版２７に接触するとともに、缶胴４１に接触する構成とされている。
【００２１】
缶移動機構１５は、缶胴４１を取り入れる缶シュータ１６と、この缶シュータ１６から供給された缶胴４１を回転自在に保持するマンドレル１７と、このマンドレル１７に装着された缶胴４１を、順次、インク付着機構１１側に回転移動させるマンドレルターレット１８とで構成されている。
【００２２】
このような構成の缶の印刷装置１０では、各々のインカーユニット２０のインク源２１から各々異なった特色インクが、ダクティングロール２２、中間ローラ２３、ゴムローラ２４を介して、印刷版胴２６の外周面に形成された凸版２７に付着させられ、これら各特色インクが、回転するブランケットホイール３０上の印刷用ブランケット３１に図柄パターンとして乗せられ、この図柄パターンがマンドレル１７に保持された缶胴４１に接触して転写されることになる。
【００２３】
そして、これら各特色インクのパターンが積層されることにより、缶胴４１にひとつの図柄が印刷される。つまり、缶胴４１に印刷される図柄は、各特色インクに対応した凸版２７の図柄パターンが重なり合って形成されているのである。
なお、印刷用ブランケット３１には、複数の特色インクがウェットな状態で配置されることから、複数の特色インクが同一箇所に位置しないように配置する必要がある。このため、上述の缶の印刷装置１０においては、複数の特色インクのパターン上に配置することによって、様々な画像を再現することになる。
【００２４】
ここで、印刷缶を作製する場合には、客先から提出された見本パターンの画像を元にして、印刷缶の校正作業を行う必要がある。
【００２５】
本実施形態である印刷缶の校正方法においては、図２のフロー図に示すように、見本パターンの画像データを元に複数の特色インクにそれぞれ対応した製版データを作成する製版データ作成工程Ｓ０１と、製版データを用いて、特色インク毎に作成された製版データに基づいて、インクジェットプリンタによって試刷パターンが印刷された試刷パターンフィルムを形成する試刷パターンフィルム形成工程Ｓ０２と、試刷パターンフィルムを金属缶の外周面に貼り付けてデジタル校正缶を作製するデジタル校正缶作製工程Ｓ０３と、デジタル校正缶と見本パターンとを比較する比較工程Ｓ０４とを備えている。さらに、本実施形態においては、試刷パターンフィルムの試刷パターンと見本パターンとを比較して、製版データの調整を行う製版データ調整工程Ｓ０５を備えている。
そして、複数の特色インクにそれぞれ対応した製版データに基づいて作成された試刷パターンフィルムを缶の外周面に貼り付けて作製されたデジタル校正缶を客先に提出し、校正作業を完了する（校了）。
【００２６】
製版データ作成工程Ｓ０１においては、フルカラー印刷された見本パターンの画像データを、金属缶の印刷に用いられる複数の特色インクに対応する特色データと網点パターンデータに分解して、複数の特色インクにそれぞれ対応した製版データを作成する。すなわち、缶の印刷装置では、複数の特定の色の特色インクしか用いることができず、かつ、この特色インクを重ね塗りして混ぜ合わせることはできない。このため、網点パターンを規定することで、様々な画像を再現することになる。
【００２７】
ここで、フルカラー印刷された見本パターンの画像データは、図３に示すように、シアン（Ｃ）、マゼンダ（Ｍ）、イエロー（Ｙ）、ブラック（Ｋ）の４色成分を重ね塗りすることよって、構成されている。
これを画像処理により、図３に示すように、複数の特色インク（図３においては８色）のパターンに分割して、それぞれの特色インクに対応した製版データを作成する。このとき、各特色インクの印刷パターンは互いに重なり合わないように設定する必要がある。
【００２８】
そして、この製版データ作成工程Ｓ０１においては、金属缶の金属光沢を考慮した印刷色のデータベースに基づいて、フルカラー印刷された見本パターンの画像データを、特色データと網点パターンデータに分解して、複数の特色インクにそれぞれ対応した製版データを作成することが好ましい。すなわち、本実施形態においては、金属光沢を有する金属缶の外周面に印刷した場合であっても、見本パターンの画像データを精度良く再現できるように、製版データを作成しているのである。
【００２９】
試刷パターンフィルム形成工程Ｓ０２においては、上述の製版データ作成工程Ｓ０１で作成された特色インク毎に作成された前記製版データを元に、インクジェットプリンタを用いて、フィルム上に試刷パターンを印刷し、試刷パターンが印刷された試刷パターンフィルムを形成する。この試刷パターンフィルム形成工程Ｓ０２においては、インクジェットプリンタで、シアン（Ｃ）、マゼンダ（Ｍ）、イエロー（Ｙ）、ブラック（Ｋ）の４色成分を重ね塗りすることで、特色インクの色を再現し、各特色インクに対応した製版データのパターンで印刷することになる。
すなわち、この試刷パターンフィルム形成工程Ｓ０２においては、インクジェットプリンタを用いて缶の印刷装置の印刷を、フィルム上に再現しているのである。
【００３０】
デジタル校正缶作製工程Ｓ０３においては、上述のようにして得られた製版データに基づいて印刷された試刷パターンフィルムを金属缶の外周面に貼り付けることによってデジタル校正缶を作製する。
そして、比較工程Ｓ０４においては、デジタル校正缶と見本パターンとを比較する。
【００３１】
また、本実施形態では、製版データ調整工程Ｓ０５において、試刷パターンフィルムの試刷パターンと、見本パターンとを比較して、複数の特色インクにそれぞれ対応した製版データの調整を行う。なお、比較工程Ｓ０４の結果に基づいて、製版データの調整を実施してもよい。
この製版データ調整工程Ｓ０５においては、金属缶の金属光沢を考慮した印刷色のデータベースに基づいて、製版データを調整することが好ましい。
【００３２】
そして、製版データ調整工程Ｓ０５と試刷パターンフィルム形成工程Ｓ０２とを繰り返し実施することにより、試刷パターンフィルムの試刷パターンと、見本パターンの画像と、を精度良く一致するように、複数の特色インクにそれぞれ対応した製版データを作成する。
【００３３】
上述のようにして調整した後の製版データに基づいて印刷された試刷パターンフィルムを金属缶の外周面に貼り付けることによってデジタル校正缶を作製し、このデジタル校正缶を客先に提出することによって、印刷缶の校正作業が完了することになる。
【００３４】
以上のような構成とされた本実施形態である印刷缶の校正方法においては、フルカラー印刷された見本パターンの画像データを、前記金属缶の印刷に用いられる複数の特色インクに対応する特色データと網点パターンデータに分解して、複数の特色インクにそれぞれ対応した製版データを作成する製版データ作成工程Ｓ０１と、前記特色インク毎に作成された前記製版データに基づいて、インクジェットプリンタによって試刷パターンが印刷された試刷パターンフィルムを形成する試刷パターンフィルム形成工程Ｓ０２と、を備えているので、インクジェットプリンタによって、特色インクを用いた缶の印刷装置による印刷を再現した試刷パターンフィルムを形成することが可能となる。
【００３５】
また、上述の製版データに基づいて印刷された試刷パターンフィルムを金属缶の外周面に貼り付けてデジタル校正缶を作製し、このデジタル校正缶と見本パターンとを比較しているので、版を複数回作製する必要がなく、試刷パターンフィルムの試刷パターンと前記見本パターンとを比較することができる。
【００３６】
さらに、試刷パターンフィルムの試刷パターンと見本パターンとを比較して、特色インク毎に作成された製版データの調整を行う製版データ調整工程Ｓ０５を備えているので、版の実際に作成し、缶の印刷装置を用いて印刷することなく、製版データの調整を行うことができる。
【００３７】
そして、前記試刷パターンフィルムを前記金属缶の外周面に貼り付けて作製したデジタル校正缶を客先に提出することによって、印刷缶の校正作業を完了させているので、版を複数回作製する必要がなく、かつ、缶の印刷装置を用いて複数回印刷する必要がなく、印刷缶の校正作業を簡単にかつ迅速に行うことが可能となる。
【００３８】
さらに、本実施形態の印刷缶の校正方法においては、製版データ作成工程Ｓ０１及び製版データ調整工程Ｓ０５において、金属缶の金属光沢を考慮した印刷色のデータベースに基づいて製版データを作成及び調整する構成としているので、インクジェットプリンタで試刷パターンフィルムを印刷した際に、金属缶の表面に印刷した状態を精度良く再現することができる。
【００３９】
また、本実施形態の印刷缶の校正方法においては、上述のようにして調整された製版データに基づいて印刷された試刷パターンフィルムを金属缶の外周面に貼り付けて見本缶を作製しているので、見本パターンの画像データを精度良く再現した見本缶を作製することが可能となる。さらに、実際に版を作製することなく、印刷缶の校正作業を完了させることができ、印刷缶の校正作業を、さらに迅速に行うことが可能となる。
【００４０】
以上、本発明の実施形態について説明したが、本発明はこれに限定されることはなく、その発明の技術的思想を逸脱しない範囲で適宜変更可能である。
本実施形態では、調整された製版データに基づいて印刷された試刷パターンフィルムを金属缶の外周面に貼り付けて見本缶を作製するものとして説明したが、これに限定されることはなく、図４に示すように、比較工程Ｓ０４の後に、版を作製する版作製工程Ｓ０６と、この版を用いて缶印刷装置で前記金属缶の表面に印刷を行い、試刷り校正缶を作製する試刷り校正缶作製工程Ｓ０７と、を備えており、この試刷り校正缶を客先に提出することで印刷缶の校正を完了する（校了）構成としてもよい。この場合であっても、調整後の製版データを用いて版を作製しているので、版を複数回作製する必要はなく、印刷缶の校正作業を、簡単にかつ迅速に行うことが可能となる。
【符号の説明】
【００４１】
Ｓ０１  製版データ作成工程
Ｓ０２  試刷パターンフィルム形成工程
Ｓ０３  デジタル校正缶作製工程
Ｓ０４  比較工程
Ｓ０５  製版データ調整工程
Ｓ０７  試刷り校正缶作製工程
【図１】
2019155771.tif 000003
【図２】
2019155771.tif 000004
【図３】
2019155771.tif 000005
【図４】
2019155771.tif 000006
【図５】
2019155771.tif 000007